(57)【要約】【課題】  簡素な構成により、使い勝手及び機能性に優れるとともに、インストルメントパネル廻りの意匠自由度を向上させたグローブボックス開閉構造を提供する。【解決手段】  インストルメントパネル４に配設したグローブボックス２の開動作を、グローブボックスに配設したサイドロック機構によって規制する開閉構造において、サイドロック機構１０をグローブボックスの側面において出没自在に移動制御させる回転体１３と、回転体１３に立設した突片１７と、をグローブボックス２に備え、突片１７に外力を与えることによって回転体１３を回転させる操作手段２０を、インストルメントパネル４に設ける。【選択図】        図３
2005029075.tif 000002
【特許請求の範囲】
【請求項１】
インストルメントパネルに配設したグローブボックスの開動作を、該グローブボックスに配設したサイドロック機構によって規制する開閉構造において、
上記サイドロック機構を上記グローブボックスの側面において出没自在に移動制御させる回転体と、この回転体に立設した突片と、を上記グローブボックスに備えており、
上記突片に外力を与えることによって上記回転体を回転させる操作手段を、上記インストルメントパネルに設けたことを特徴とする、グローブボックス開閉構造。
【請求項２】
前記グローブボックスに、前記回転体を収容するハウジングを被着すると共に、このハウジングに形成した開口から前記突片を突出させ、上記ハウジングの側部に形成した側孔から前記サイドロック機構を出没させることを特徴とする、請求項１に記載のグローブボックス開閉構造。
【請求項３】
前記操作手段が、前記インストルメントパネルに形成した取付孔にその裏面から取り付けたボタンカバーと、このボタンカバーを前記インストルメントパネル外側に向けて突出させるように付勢するバネと、を備えていることを特徴とする、請求項１に記載のグローブボックス開閉構造。
【発明の詳細な説明】
【技術分野】
【０００１】
本発明は、乗用車等のグローブボックス開閉構造に係り、特に、サイドロック機構によりグローブボックスの開閉を規制する構造に関するものである。
【背景技術】
【０００２】
図６に示すように、インストルメントパネル５０には、一般にグローブボックス５１が設けられており、比較的大きめの物入れとして利用されている。このようなグローブボックス５１は、通常、閉止しておき、使用に際して後述のノブ５４を回動すると、ロックが解除されて助手席側へ開くようになっている。
【０００３】
このようなグローブボックス５１の開閉構造としては、図７に示すように、操作ノブ５４が、グローブボックス５１に設けた凹部５３に回動可能に取り付けられており、さらに、インストルメントパネル５０に係合するサイドロック機構、すなわち、ラッチ部材５６が操作ノブ５４の操作により出没自在に動くように構成している。このようなグローブボックス５１では、その側面において、出没自在なラッチ部材をインストルメントパネル側壁に形成した孔に係合させることでグローブボックスの開動作を規制して閉止し、孔からラッチ部材を引き抜くことで係合状態を解除してグローブボックスを開くことができる（特許文献１参照）。
【０００４】
また、他のロック機構としては、図８及び図９に示すように、グローブボックス５１の内面にストライカ６０を突設させ、このストライカ６０に対応するインストルメントパネル５０の開口部の周縁にラッチ構造６１を設け、このラッチ構造６１によるストライカ６０の係合状態を解除する操作ボタン６２をインストルメントパネル５０の表面に配置し、操作ボタン６２の上下動をラッチ構造６１に伝達して、ストライカ６０の係合状態を解除するリモートコントロールケーブル６３をそれら操作ボタン６２とラッチ構造６１との間に介装させたものも知られている（特許文献２参照）。
【特許文献１】特開２００３−１３６４７号公報
【特許文献２】特開平５−３３８５００号公報
【発明の開示】
【発明が解決しようとする課題】
【０００５】
しかしながら、従来のロック構造においては、ロック状態を解除させる際に、操作ノブ５４を配設するためのスペースをグローブボックス５１に設けなければならないので、グローブボックス５１に設ける凹部５３は使用者の指が入ることができる程度に形成されていなければならない。よって、グローブボックスの物品を収容することができる空間が、凹部が占有する領域だけ縮小することになる。
【０００６】
また、このようなグローブボックス５１の表面に、操作ノブ５４を回動させるための凹部５３を設けることは、グローブボックス５１の意匠の自由度を損なうと共に、その見栄えの悪さの原因にもなってしまう。
さらに、特許文献２に示すようなロック構造は、リモートコントロールケーブル６３を必要とするため、製造コストが嵩んでしまう。
【０００７】
本発明は、以上の点に鑑み、簡素な構成により、使い勝手および機能性に優れるとともに、インストルメントパネル廻りの意匠自由度を向上させたグローブボックス開閉構造を提供することを目的とする。
【課題を解決するための手段】
【０００８】
上記目的を達成するために、本発明のグローブボックス開閉構造は、インストルメントパネルに配設したグローブボックスの開動作を、グローブボックスに配設したサイドロック機構によって規制する開閉構造において、上記サイドロック機構を上記グローブボックスの側面において出没自在に移動制御させる回転体と、この回転体に立設した突片と、を上記グローブボックスに設け、上記突片に外力を与えることによって上記回転体を回転させる操作手段を、上記インストルメントパネルに設けたことを特徴としている。
【０００９】
本発明のグローブボックス開閉構造は、グローブボックスに、前記回転体を収容するハウジングを被着すると共に、このハウジングに形成した開口から前記突片を突出させ、ハウジングの側部に形成した側孔から前記サイドロック機構を出没させるよう構成することができる。
【００１０】
前記操作手段は、好ましくは、前記インストルメントパネルに形成した取付孔にその裏面から取り付けたボタンカバーと、このボタンカバーをインストルメントパネル外側に向けて突出させるように付勢する弾機手段と、を備えている。
【発明の効果】
【００１１】
本発明のグローブボックスの開閉構造は、サイドロック機構をグローブボックスの側面において出没可能に移動制御させる回転体をグローブボックス内に設けると共に、この回転体に突片を設け、突片に外力を与える操作手段をインストルメントパネルに設置するという簡素な構造であり、ケーブル等の仲介を必要としないので、従来製造コストが嵩むことから採用することができなった車両にも取り付けることができる。
これによって、従来では、グローブボックス表面に設けていた凹部がなくなるため、グローブボックスのデザインがシンプルになって意匠性も向上する。また、グローブボックスの周辺の任意の位置に操作手段を設定できるので、グローブボックス周辺の意匠及び設計の自由度が向上する。
【発明を実施するための最良の形態】
【００１２】
以下、図面を用いて本発明の実施の形態を説明する。
図１は本発明の実施形態に係るグローブボックスの開閉構造１を適用したインストルメントパネル４の周辺を示す斜視図であり、このインストルメントパネル４に回動自在に取り付けられた箱形のグローブボックス２には、その開閉を規制するサイドロック機構１０が配設されている。
【００１３】
図２は、図１に示す本発明の実施形態に係るグローブボックス２の構成を示す分解斜視図である。このグローブボックス２は、その両側壁２ａ，２ａに形成された各孔２ｂに対して、サイドロック機構１０が設けられている。このサイドロック機構は、後述する棒状のラッチ部材１１を出没自在に移動制御するように構成されており、このラッチ部材１１に対応してインストルメントパネル４に形成された係合孔４ａ（図１）にラッチ部材１１が係合することで、グローブボックス２の開閉動作が規制されるようになっている。
【００１４】
グローブボックス２は、図２に示すように、一対のラッチ部材１１，１１と、弾機手段、本例ではコイル状のバネ１２と、回転体１３と、一対のブラケット１４，１４と、押さえ片１５と、ハウジング１６とを備えている。
【００１５】
先ず、サイドロック機構１０について説明する。
サイドロック機構１０を構成する左右の各ラッチ部材１１は棒状の部材であり、その先細の先端部１１ａが前述のインストルメントパネル４に形成した係合孔４ａに係合するものである。一方、左右のラッチ部材１１の基端部１１ｂは、半筒状に形成されていると共に、その表面にカム溝１１ｃが形成されている。なお、左右のラッチ部材１１の基端部１１ｂ同士を重ね合わせると一つの筒体が構成される。また、左右の各ラッチ部材１１，１１は、棒状の先端部１１ａと半筒状の基端部１１ｂの境に、それぞれ立方体で成る角形部１１ｅが形成されている。
【００１６】
そして、この筒体の内部には、各基端部１１ｂの内周面に突出して設けられている凸部１１ｄ，１１ｄによって端部を係止されたバネ１２が、配設されている。バネ１２は、左右のラッチ部材１１，１１をインストルメントパネル４の係合孔方向に付勢するものであり、前述の筒体内で伸縮可能に配設されている。
【００１７】
このようにバネ１２の端部を係止した各ラッチ部材１１の基端部１１ｂは、回転体１３に摺動可能に支持されている。この回転体１３は、回転手段となるものであり、各基端部１１ｂ，１１ｂが摺動できる大きさの筒状に形成されており、その内周面には、左右の各基端部１１ｂ，１１ｂのカム溝１１ｃに係合する一対のピン１３ａ（後述の図３参照）が設けられている。
【００１８】
このように一対のラッチ部材１１，１１とバネ１２とを備えた回転体１３は、グローブボックス２に回転可能に支持される。具体的には、グローブボックス２の内周面に一対のブラケット１４，１４が並設されており、回転体１３がブラケット１４間に架設されるように、左右の各ラッチ部材１１，１１の基端部１１ｂが回転体１３に収容された状態で、各ラッチ部材１１の角形部１１ｅをブラケット１４に形成された凹部１４ａに嵌入する。そして、各ブラケット１４の上に押さえ片１５を取り付けることで、回転体１３がグローブボックス２に回転可能に支持される。
なお、角形部１１ｅがブラケット１４の凹部１４ａに嵌入しているので、回転体１３の回動に伴う左右のラッチ部材１１，１１の回転が規制されている。
【００１９】
ハウジング１６は、上記左右一対のラッチ部材１１，１１と回転体１３とブラケット１４、１４とを収納できる大きさと形状に成形されており、その両側には左右の各ラッチ部材１１，１１の先端部１１ａを挿通する切欠状の側孔１６ａが形成されている。そして、ハウジング１６は、ラッチ部材１１，１１と回転体１３とを覆うように、グローブボックス２の内周面に被着されている。
なお、図２では、ブラケット１４はグローブボックス２の内周面に立設されているが、ハウジング１６に立設されていてもよい。
【００２０】
以上のグローブボックス２の構成は特許文献１に示す開閉構造のグローブボックスの構成と同一或いは同様に構成されているが、本発明の実施形態に係るグローブボックス開閉構造１は、以下のように構成されている点で、従来技術と異なる。
【００２１】
ここで、図３は図１のＡ−Ａ線端面図である。この図に示すように、本発明の実施形態に係るグローブボックス開閉構造１においては、回転体１３に立設した突片１７が、ハウジング１６に形成された開口１８からハウジング１６の外に突出しており、この突片１７に外力が加えられることで回転体１３が回転する。
【００２２】
さらに、この突片１７を回転させるための操作手段２０が、突片１７近傍のインストルメントパネル４に設けられている。
この操作手段２０は、図３に示すように、インストルメントパネル４に形成された取付孔２１と、この取付孔２１を囲うようにインストルメントパネル４の裏面に取り付けられたカップ状部材２２と、このカップ状部材２２の底面に形成された穴２２ａを挿通する突出部２４ａが端面から突出しており、カップ状部材２２に収容されている芯材２４と、この芯材２４の表面を覆うボタンカバー２５と、芯材２４をカップ状部材２２の底面から取付孔２１に向けて付勢する、即ち、ボタンカバー２５をインストルメントパネル外側に向けて突出させるように付勢するバネ２６と、を備えている。
【００２３】
なお、ボタンカバー２５の周縁は、ボタンカバー２５がバネ２６の付勢力によって取付孔２１から抜脱しないように、鍔状に外方へ折り曲げて形成されている。さらに、芯材２４には、芯材２４のボタンカバー接触面から突出部２４ａの先端表面（突片１７との接触面）に通ずる硬質材料で構成された細線２７が設けられている。
【００２４】
このように構成された本発明のグローブボックス開閉構造１の開動作を説明する。
図３に示すような、グローブボックス２が閉じた状態において、操作手段２０のボタンカバー２５をバネ２６の付勢力に抗して押すと、芯材２４の突出部２４ａの先端が突片１７に当接して、突片１７が矢印α方向に回転する。
【００２５】
すると、これと連動して、回転体１３が回転するので、回転体１３の内筒面に立設したピン１３ａが対応するカム溝１１ｃの溝縁に沿って移動する。このピン１３ａの移動に伴って、左右の各ラッチ部材１１の基端部１１ｂ，１１ｂも移動することになる。すなわち、左右の各ラッチ部材１１はバネ１２の付勢力に抗して強制的に後退し、バネ１２を縮める方向へ移動する。
【００２６】
このような左右の各ラッチ部材１１の強制後退により、左右の各ラッチ部材１１の先端部１１ａもインストルメントパネル４の対応する係合孔から後退するので、グローブボックス２が自動的に開放位置まで回動することが許容されることとなる。
【００２７】
一方、グローブボックス２の回動に伴って、操作ボタン２０の突出部２４ａが突片１７から離れると、バネ１２の付勢力で、ピン１３ａがカム溝１１ｃを逆方向に移動して、左右の各ラッチ部材１１の先端部１１ａをバネ１２の付勢ばね圧で再び係合孔方向に突出させると同時に、回転体１３も逆方向に回転して、突片１７を元の状態位置に戻すこととなる。
【００２８】
このように本発明の実施形態にグローブボックス開閉構造１は、操作手段２０としてのボタンを押すだけで、突片１７を回転させることでができるので、ワンタッチでラッチ部材１１のロックを解除することができ、操作が簡単である。
【００２９】
また、本発明のグローブボックス開閉構造１は、従来のサイドロック機構（ラッチ部材１１の先端部１１ａを制御する部材）に、本発明では回転体１３に、突片１７を設けると共に、突片１７を回転させるための操作手段２０をインストルメントパネル４に設けるだけで、グローブボックス２の開閉制御を実現できるので、従来、コスト面から採用することができなかった車種にも用いることができる。
【００３０】
また、本発明のグローブボックス開閉構造１においては、従来技術のように指を差し込むための凹部５３（図７参照）を設ける必要がないので、従来技術に比べてグローブボックス内の領域を広くすることができる。
【００３１】
ところで、上記説明で例示したグローブボックス開閉構造１においては、突片１７を円筒状を呈する回転体１３に設けた場合を例示したが、本発明はこのような構成に限定して適用されるものではなく、突片１７はサイドロック機構を制御するために回転する部材を備えたグローブボックスであれば、容易に適用することができる。
【００３２】
例えば、図４に示すように構成された箱形のグローブボックス２′に本発明を適用することもできる。図４に示すグローブボックス２′は、一対のラッチ部材３１，３１と、一対のコイル状のバネ３２，３２と、回転体３３と、一対のブラケット３４，３４と、ダブルトーションバネ３５と、ハウジング３６とを備えている。
【００３３】
ここで、各ラッチ部材３１は、先端側を先細に形成されていると共に、基端側を円筒状に形成されている。このラッチ部材３１の基端側の円筒内にはバネ３２が収容されており、このバネ３２は各ラッチ部材３１をインストルメントパネルに形成された係合孔（図示省略）側に付勢している。更に、ラッチ部材３１の円筒表面にはピン３１ａが突設されている。
【００３４】
一方、回転体３３は、門型の基部３３ａと、基部３３ａの両側面から突出した各軸部３３ｂ，３３ｂと、各軸部３３ｂに延設されている筒状の支持部３３ｃとを備えている。支持部３３ｃには、ラッチ部材３１のピン３１ａを案内支持する溝３３ｄが形成されており、この溝３３ｄにピン３１ａが入れられて、各ラッチ部材３１が対応する支持部３３ｃ内に収容されている。
【００３５】
このように一対のラッチ部材３１を備えた回転体３３は、各軸部３３ｂがブラケット３４に形成した凹部３４ａに入れられ、更にダブルトーションバネ３５で基部３３ａを所定位置に戻すように付勢されてブラケット３４に回転可能に支持されている。そして、ラッチ部材３１，３１と回転体３３とブラケット３４とを覆うように、グローブボックス２′の内周面にハウジング３６が被着されている。なお、図中の２ｂは孔であり、３６ｂは切欠状の側孔である。
【００３６】
本発明を上記グローブボックス２′に適用するにあたり、回転体３３の基部３３ａには突片３７が立設しており、更にこの突片３７をハウジング３６から突出させるための開口３６ａがハウジング３６に形成されている。
【００３７】
このように回転体３３に設けられた突片３７は、上記図３等で示した突片１７と同様に、図５に示すように、操作手段２０によって外力を加えられて、回転体３３自体を回転させるようになっている。
このように、本発明は、サイドロック機構を制御するために利用する回転部材に突片を設ければ、容易に適用することができる。
【００３８】
以上説明したが、本発明は、発明の趣旨を逸脱しない範囲において様々な形態で実施することができる。例えば、上記の説明では、グローブボックス自体が助手席の前方に回動して引き出され、そのようなグローブボックス本体の前側の内周面に上記構造を適用した例を説明したが、収納部がダッシュボードに固定して取り付けられていて、その蓋としてのグローブボックスのドアが回動する場合には、そのドアに上記説明した機構を適用して、操作手段２０によってロックを解除するように構成することができるのは勿論である。さらに、上記構成例では、操作手段２０の弾機手段としてバネ２６を示したが、これに代えてゴムなどの弾性体を用いてもよい。
【産業上の利用可能性】
【００３９】
以上述べたように、本発明によれば、サイドロック機構を従来製造コストが嵩むことから採用することができなった車両にも取り付けることができる。
【図面の簡単な説明】
【００４０】
【図１】本発明の実施形態に係るグローブボックス開閉構造を適用したインストルメントパネルの周辺を示す斜視図である。
【図２】本発明の実施形態に係るグローブボックスの構成例を示す分解斜視図である。
【図３】図１のＡ−Ａ線端面図である。
【図４】本発明の他の実施形態に係るグローブボックスの構成例を示す分解斜視図である。
【図５】図４のグローブボックスの使用例を示す端面図である。
【図６】従来のインストルメントパネルの周辺を示す斜視図である。
【図７】図６のＢ−Ｂ線端面図である。
【図８】従来の別態様のインストルメントパネルの周辺を示す斜視図である。
【図９】図８のＣ−Ｃ線端面図である。
【符号の説明】
【００４１】
１          グローブボックス開閉構造
２，２′    グローブボックス
２ａ，２ｂ  グローブボックスの側壁
２ｂ        孔
４          インストルメントパネル
１０        サイドロック機構
１１，３１  ラッチ部材
１１ａ      ラッチ部材の先端部
１１ｂ      ラッチ部材の基端部
１１ｃ      カム溝
１１ｄ      凸部
１１ｅ      角形部
１２，３２  バネ
１３，３３  回転体
１３ａ      ピン
１４，３４  ブラケット
１４ａ      凹部
１５        押さえ片
１６，３６  ハウジング
１７        突片
１８        開口
２０        操作手段
２１        取付孔
２２        カップ状部材
２２ａ      穴
２４        芯材
２４ａ      芯材の突出部
２５        ボタンカバー
２６        バネ
２７        細線
３３ａ      基部
３３ｂ      軸部
３３ｃ      支持部
３５        ダブルトーションバネ
【図１】
2005029075.tif 000003
【図２】
2005029075.tif 000004
【図３】
2005029075.tif 000005
【図４】
2005029075.tif 000006
【図５】
2005029075.tif 000007
【図６】
2005029075.tif 000008
【図７】
2005029075.tif 000009
【図８】
2005029075.tif 000010
【図９】
2005029075.tif 000011